(57)【要約】      （修正有）【課題】換気扇を棚の内部に組み込み、手前斜めに昇降する様に構成することで、安全でかつ掃除がし易いキッチン用電動吊戸棚を提供する。【解決手段】電動モーターでドラムを回転する機構を上部に内蔵して、自らワイヤーを巻き取りながら全体が丸ごと上昇する構成とする。換気扇と風洞口を内部へ一体型に組み込んで排気口と換気口がそれぞれ上の定位置で、互いにすき間なく正確に接合し易い構造として、斜め昇降形式にする。障害物検知装置付上下スライド式アルミパネルと、一部ステンレス製金網を下面全域に装備する。吊ワイヤーの断線及び、巻き取りドラムから外れた場合の安全対策として、内部両側に降下時の駆動用回転数が一定の速度より高くなると、遠心力の働きによって自動的にブレーキが作動して電源が切れる急降下停止装置と、テコの原理を応用した補助金具の刃先が、ガードレールに喰い込んで素早く止まる二系統を組み合わせて、確実性を図る。【選択図】図７
0003147240.tif 000002
【実用新案登録請求の範囲】
【請求項１】
電動吊戸棚の内部に換気扇を組み込んで外壁に付いている排気口と換気扇の換気口がドッキング  換気扇使用中は電動吊戸棚の電源は切れる仕組み
【請求項２】
棚は障害物を躱すのと  使いやすくするため手前方向に斜めに降下する  ガイドレールの傾斜角度は室内の状況によって  ５種類の角度調整が出来る
【請求項３】
もしも吊ワイヤーが外れたり  切れた場合の安全対策と棚本体の落下防止に備えて  急速逆転防止用歯車付  急降下停止装置とより安全にするため急降下停止用補助金具を設置
【請求項４】
もしも降下中に障害物に  触れたら自動停止して反転する障害物検知装置付  吊戸棚下面全体がパネル型  上下スライドスイッチになっている  風洞口付近はステンレスの金網になっている
【考案の詳細な説明】
【技術分野】
【０００１】  本考案はキッチン用電動吊戸棚である  安全で掃除がしやすい
【背景技術】
【０００２】  従来のキッチン用電動吊戸棚は本体がそのままで内部の小棚だけが降りてくるか  風洞口と換気扇を残し垂直に降りてくるものでした
【考案の開示】
【考案が解決しようとする課題】
【０００３】  戸棚全体と内部を掃除するのに脚立か椅子が必要特に年寄りや  体の不自由な方々には危険です
戸棚内部と風洞口換気扇などの掃除が出来なければ不衛生である
【課題を解決するための手段】
【０００４】  換気扇を内部に組み込んで戸棚全体が降りる
垂直昇降ではなく斜め昇降式にする
可能な限り安全装備をする
【考案の効果】
【０００５】  換気扇を棚の内部に組み込んで手前斜め昇降式と多くの安全装置の確かな装備によって安全で清潔な電動吊戸棚を使用出来る
【考案を実施するための最良の形熊】
【０００６】  本考案の中で重要なポイントは安全性である
ワイヤーがドラムから外れたり切れた場合の安全対策  図４−２は急降下停止装置、高速逆転防止ギアが入っている  確実に停止するための急降下停止装置補助金具図３−３との組み合せが重要
降下中障害物に当った場合は障害物検知装置が作動停止して約２０ｃｍ反転する．下面パネル全体が停止スイッチになっている
換気扇を作動中図３−４の場合電源が断になって戸棚は動かない
上昇中モーターのリミットが故障してオーバーランした場合図３−１エマージェンシースイッチが作動して電源が断になる  年寄りや体の不自由な人々が対象のためリモコン操査が当然である
【図面の簡単な説明】
【０００７】
【図１】正面図上昇定位置
【図２】正面図下降定位置
【図３】内観中央から見て右断面図
【図４】内観中央から見て左断面図
【図５】平面断面図
【図６】正面断面図
【図７】側面図  内観佐側壁とレールを外した状態
【符号の説明】
【０００８】１      上昇中、オーバーラン防止用エマージェンシースイッチ
２      急降下停止装置
３      急降下停止用補助金具
４      換気扇使用中、戸棚電源を切る為の安全用スイッチ
５      換気扇防護パネル
６      ワイヤー巻取りドラム
７      風洞口と換気扇用押ボタンスイッチ
８      ガイドレール
９      ガイドローラー
１０    電動モーター  手動切り替えも出来る
１１    障害物検知装置用作動スイッチ
１２    ガイドローラー差し込み用穴
１３    排気口
１４    ワイヤー巻取りドラムシャフト駆動用スプロケット
１５    ワイヤー支持金具
１６    駆動シャフトジョイント金具
１７    下面風洞口
１８    差し込みコンセント
【図１】
0003147240.tif 000003
【図２】
0003147240.tif 000004
【図３】
0003147240.tif 000005
【図４】
0003147240.tif 000006
【図５】
0003147240.tif 000007
【図６】
0003147240.tif 000008
【図７】
0003147240.tif 000009
【手続補正書】
【提出日】平成19年1月16日(2007.1.16)
【手続補正１】
【補正対象書類名】実用新案登録請求の範囲
【補正対象項目名】全文
【補正の内容】
【実用新案登録請求の範囲】
【請求項１】
戸棚本体に電動機構と換気扇を組み込んで垂直降下方式ではなく手前方向に移動しながら戸棚全体まるごと下りる傾斜降下方式である上昇すれば換気口と換気扇の排気口がドッキングして普通の固定式戸棚と同じように使える安全と便利性を備えた戸棚
○メンテナンスを容易に行う為  電動機構を天井下や天井内部ではなく戸棚本体上部内にコンパクトにまとめワイヤー巻き取り駆動方式にしワイヤーが切れたり巻き取りドラムから外れた場合の安全対策として急降下停止装置を棚の両側上部に設置、レール上面と停止装置のタイヤに摩擦が生じて棚は裏側へ倒れようとする働きをする
テコの原理で急降下停止装置用補助金具の刃がガイドレールに喰い込んで素早く完全停止する
安全性の高い請求項１記載の電動吊戸棚である
○戸棚下面全体に障害物検知装置付  上下スライド式アルミパネルを装備風洞口不近はステンレス製金綱を使用  このパネルの停止信号は電動モーターの停止に接続されている  又換気扇の排気パメルの開信号もモーター停止に接続されていいる為換気扇使用中降下スイッチは自動的に切れる  安全性に配慮した請求項１記載の電動吊戸棚
○戸棚の斜降下角度は各家々の障害物の配置によって使用範囲が制限される場合が多い  その対応に備えてガイドローラーを後付け差し込み式とする
戸棚本体を吊り上げる前にガイドレールの完成傾斜角度を予め予想して先に戸棚側面にある差し込み穴にガイドローラーを差し込んでおく戸棚をレールなし状態で上の定位置まで電動で巻き上げてからガイドローラーの角度に合わせレールを壁に固定する
５種類のレール角度が選択出来る特徴を備えた請求項１記載の電動吊戸棚である
【手続補正書】
【提出日】平成19年5月11日(2007.5.11)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
：戸棚全体をまるごと降下出来るように内部に電動機構と換気扇付風洞口を組み込んでスムーズにドッキング出来るように換気扇の排気口と換気口を分離合体出来る傾斜型昇降方式にした特徴のあるキッチン用電動吊戸棚
：ワイヤーが切れたり巻き取りドラムから外れた場合の安全対策として、急降下停止位置を棚の両側上部に設置、ある一定の回転数を越えるとガイドレール上面と停止位置に摩擦が生じて棚は裏側へ倒れようとする働きをする、テコの原理で急降下停止位置装置用補助金具の刃が  ガイドレールに喰い込んで素早く完全停止する、安全性の高い特徴のあるキッチン用電動吊戸棚
：戸棚下面全体に障害物検知装置付上下スライド式アルミパネルを装備、風洞口付近はステンレス製金鋼を使用  このパネルの停止信号は電動モーターの停止に接続されている又、換気扇の排気パネルの開信号もモーター停止に接続されている為  換気扇使用中降下スイッチに電流は流れない、安全性に配慮した特徴のあるキッチン用電動吊戸棚
：戸棚の斜降下角度は各家々の障害物の配置によって使用範囲が制限される、その対応に備えてガイドレールとガイドローラーを後付け差し込み式とする、戸棚本体を吊り上げる前にガイドレールの完成傾斜角度を予想して先に戸棚側面にある差し込み穴にガイドローラーを差し込んでおく戸棚をレールなし状態で上の定位置まで電動で巻き上げてからガイドローラーの角度に合わせレールを壁に固定する  ５種類のレール角度が選択出来る特徴を備えたキッチン用電動吊戸棚
【手続補正書】
【提出日】平成19年9月10日(2007.9.10)
【手続補正１】
【補正対象書類名】実用新案登録請求の範囲
【補正対象項目名】全文
【補正方法】変更
【補正の内容】
【実用新案登録請求の範囲】
【請求項１】
キッチン用電動吊戸棚本体内部上に電動昇降機構をコンパクトに収め昇降方式を吊ワイヤー巻取りドラム型にして棚本体丸ごと斜め降下方式にした特徴のあるキッチン用電動吊戸棚。
：換気扇をキッチン用電動吊戸棚内部に設置、上昇して上の定位置で停止すると換気扇の排気口と壁に開いた換気口がドッキング  換気扇使用中  昇降機のスイッチは作動しない  斜め昇降機能を持たせた理由は壁の障害物をかわすことと換気口と排気口がドッキングしやすくするため
：吊ワイヤーが断線したり、巻取りドラムから外れて  キッチン用電動吊戸棚が落下した場合の安全対築として急降下停止装置を左右上部に設置、その下の後部にはより効果を高めるためスライド固定式補助金具を取付けテコの応用で素早く停止する
：キッチン用電動吊戸棚下面部には障害物検知装置付アルミ製上下スライドパネルを装備、風胴口不近には火に強いステンレス製金綱を使用
：斜め降下用ガイドレールの降下角度の設定はキッチンの内部スペースに対応出来るようにガイドローラー用差し込み穴の選択によって５種類の角度に変えることが出来る特徴を持った請求項１記載のキッチン用電動吊戸棚
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
吊戸棚上部に電動機構をコンパクトに収め、自ら吊ワイヤーを巻き取りながら全体が丸ごと斜めに昇降する特徴のあるキッチン用電動吊戸棚。
：該請求項１を引用する請求項２
キッチンの床面積や配列あるいは障害物等により使用範囲に制限がある場合その対処法として、ガイドローラーの差込位置を変えることによりガイドレールの取付角度が変わり降下範囲を選択出来る特徴のあるキッチン用電動吊戸棚。
：該請求項１を引用する請求項３
昇降中電気信号により作動しない構造の換気扇を吊戸棚の内部に設けて  上昇定位置で停止と同時に壁側の換気口と換気扇の排気口が密着する特徴のあるキッチン用電動吊戸棚。
：該請求項１を引用する請求項４
吊ワイヤーの断線と巻き取り用ドラムからの脱線による吊戸棚が落下する危険性の対策として、回転増速停止用急降下停止装置を内部両側に設置して  その後部に停止効果を高める為  急降下停止用補助金具を備えた安全性の高い特徴のあるキッチン用電動吊戸棚。
：該請求項１を引用する請求項５
吊戸棚下面全域に装備した上下スライド式アルミパネルに障害物検知装置を設置して、コンロ上には排煙し易く熱に強いステンレス製金綱を使用した特徴のあるキッチン用電動吊戸棚。
【手続補正書】
【提出日】平成20年3月6日(2008.3.6)
【手続補正１】
【補正対象書類名】実用新案登録請求の範囲
【補正対象項目名】全文
【補正方法】変更
【補正の内容】
【実用新案登録請求の範囲】
【請求項１】
電動モーターでドラムを回転する機構をキッチン用電動吊戸棚の上部に内蔵して、自ら吊ワイヤーを巻き取りながら全体が丸ごと上昇する。
【請求項２】
換気扇付風洞口を外面に対して平らに設置して、排気口と換気口が離着し易く、また障害物を躱す為、斜めに降下する構造を特徴とする請求項１記載のキッチン用電動吊戸棚。
【手続補正書】
【提出日】平成20年5月21日(2008.5.21)
【手続補正１】
【補正対象書類名】実用新案登録請求の範囲
【補正対象項目名】全文
【補正方法】変更
【補正の内容】
【実用新案登録請求の範囲】
【請求項１】
電動モーターでドラムを回転する機構を上部に内蔵して、自らワイヤーを巻き取りながら、全体が丸ごと上昇するキッチン用電動吊戸棚。
【請求項２】
障害物検知装置付上下スライド式アルミパネル（コンロ上はステンレス製金綱を使用）を下面全域に装備することを特徴とする請求項１を引用するキッチン用電動吊戸棚。
【請求項３】
吊ワイヤーの断線及び、巻き取りドラムから外れた場合の安全対策として、内部両側に降下時の駆動用回転数が一定の速度より高くなると、遠心力の働きによって、自動的にブレーキが作動して、電源が切れる急降下停止装置と、テコの原理を応用した補助金具の刃先が、ガイドレールに喰い込んで素早く止まる、二系統の組み合わせによる確実さを特徴とする請求項１を引用するキッチン用電動吊戸棚。
【請求項４】
換気扇と風洞口を内部へ一体型に組み込んで、排気口と換気口がそれぞれ上の定位置で、互いに、すき間なく正確に接合し易い構造として、斜め昇降形式にすることを特徴とする請求項１を引用するキッチン用電動吊戸棚。
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
電動モーターでドラムを回転する機構を上部に内蔵して、自らワイヤーを巻き取りながら全体が丸ごと上昇するキッチン用電動吊戸棚。
【請求項２】
障害物検知装置付上下スライド式アルミパネルと、一部ステンレス製金綱を下面全域に装備することを特徴とする請求項１を引用するキッチン用電動吊戸棚。
【請求項３】
吊ワイヤーの断線及び、巻き取りドラムから外れた場合の安全対策として、内部両側に降下時の駆動用回転数が一定の速度より高くなると、遠心力の働きによって自動的にブレーキが作動して電源が切れる急降下停止装置と、テコの原理を応用した補助金具の刃先が、ガイドレールに喰い込んで素早く止まる二系統の組み合わせによる確実さを特徴とする請求項１を引用するキッチン用電動吊戸棚。
【請求項４】
換気扇と風洞口を内部へ一体型に組み込んで、排気口と換気口がそれぞれ上の定位置で、互いに、すき間なく正確に接合し易い構造として、斜め昇降形式にすることを特徴とする請求項１を引用するキッチン用電動吊戸棚。